(57)【要約】【課題】インバータにおいて、零速度時や極低速時における電動機の回転速度の振動を抑制し、モータの脱調を抑制する。【解決手段】第１乗算器４は、ｄ軸電圧指令の軸振動に起因する振動成分にゲインＧｄを乗算する。第２乗算器５は、ｑ軸電圧指令の軸振動に起因する振動成分に一次遅れを生じさせた値にゲインＧｑを乗算する。ゲイン調節部６は、速度指令の絶対値が閾値以上の場合にｄ軸ゲインを１，ｑ軸ゲインを０とし、速度指令の絶対値が閾値よりも小さい場合にｄ軸ゲインを０，ｑ軸ゲインを１とする。第１乗算器４の出力にｄ軸ゲインおよび速度指令の符号極性を乗算した値と、第２乗算器５の出力にｑ軸ゲインを乗算した値と、を加算し前記振動抑制信号として速度指令から減算する。【選択図】図１
2019205238.tif 000002
【特許請求の範囲】
【請求項１】
永久磁石形同期電動機を駆動するインバータにおいて、
速度指令から振動抑制信号を減算した値を積分した位相に基づいて電流検出値を三相／二相変換し、ｄ軸，ｑ軸電流検出値を出力する三相／二相変換器と、
引込電流指令であるｄ軸電流指令とｑ軸電流指令と、前記ｄ軸，ｑ軸電流検出値との偏差に基づいて、前記ｄ軸，ｑ軸電流検出値が前記ｄ軸，ｑ軸電流指令に追従するように、ｄ軸，ｑ軸電圧指令を生成する電流制御部と、
前記ｄ軸，ｑ軸電圧指令を前記位相に基づいて三相の電圧指令に変換する二相／三相変換器と、
前記三相の電圧指令に基づいて、インバータ内の各スイッチング素子のゲート信号を生成するＰＷＭ制御部と、
前記ｄ軸電圧指令の軸振動に起因する振動成分にゲインＧｄを乗算する第１乗算器と、
前記ｑ軸電圧指令の軸振動に起因する振動成分に一次遅れを生じさせた値にゲインＧｑを乗算する第２乗算器と、
前記速度指令の絶対値が閾値以上の場合にｄ軸ゲインを１，ｑ軸ゲインを０とし、前記速度指令の絶対値が閾値よりも小さい場合にｄ軸ゲインを０，ｑ軸ゲインを１とするゲイン調整部と、
前記第１乗算器の出力に前記ｄ軸ゲインおよび前記速度指令の符号極性を乗算した値と、前記第２乗算器の出力に前記ｑ軸ゲインを乗算した値と、を加算し前記振動抑制信号として出力する加算器と、
を備えたことを特徴とするインバータ。
【請求項２】
永久磁石形同期電動機を駆動するインバータにおいて、
速度指令から振動抑制信号を減算した値を積分した位相に基づいて電流検出値を三相／二相変換し、ｄ軸，ｑ軸電流検出値を出力する三相／二相変換器と、
引込電流指令であるｄ軸電流指令とｑ軸電流指令と、前記ｄ軸，ｑ軸電流検出値との偏差に基づいて、前記ｄ軸，ｑ軸電流検出値が前記ｄ軸，ｑ軸電流指令に追従するように、ｄ軸，ｑ軸電圧指令を生成する電流制御部と、
前記ｄ軸，ｑ軸電圧指令を前記位相に基づいて三相の電圧指令に変換する二相／三相変換器と、
前記三相の電圧指令に基づいて、インバータ内の各スイッチング素子のゲート信号を生成するＰＷＭ制御部と、
前記ｑ軸電圧指令の軸振動に起因する振動成分に一次遅れを生じさせた値にゲインＧｑを乗算して前記振動抑制信号を算出する振動抑制部と、
を備えたことを特徴とするインバータ。
【請求項３】
永久磁石形同期電動機を駆動するインバータにおいて、
速度指令から振動抑制信号を減算した値を積分した位相に基づいて電流検出値を三相／二相変換し、ｄ軸，ｑ軸電流検出値を出力する三相／二相変換器と、
引込電流指令であるｄ軸電流指令とｑ軸電流指令と、前記ｄ軸，ｑ軸電流検出値との偏差に基づいて、前記ｄ軸，ｑ軸電流検出値が前記ｄ軸，ｑ軸電流指令に追従するように、ｄ軸，ｑ軸電圧指令を生成する電流制御部と、
前記ｄ軸，ｑ軸電圧指令を前記位相に基づいて三相の電圧指令に変換する二相／三相変換器と、
前記三相の電圧指令に基づいて、インバータ内の各スイッチング素子のゲート信号を生成するＰＷＭ制御部と、
前記ｄ軸電圧指令の軸振動に起因する振動成分にゲインＧｄを乗算する第１乗算器と、
前記ｑ軸電圧指令の軸振動に起因する振動成分に一次遅れを生じさせた値にゲインＧｑを乗算する第２乗算器と、
前記速度指令の絶対値が第１閾値以下の場合に前記ｑ軸ゲインを１、前記ｄ軸ゲインを０とし、前記速度指令の絶対値が第１閾値よりも大きく第２閾値よりも小さい場合に、前記速度指令の絶対値の増加に応じて、前記ｑ軸ゲインを１から０に徐々に減少させ、前記ｄ軸ゲインを０から１に徐々に増加させ、前記速度指令の絶対値が第２閾値以上の場合に前記ｄ軸ゲインを１，前記ｑ軸ゲインを０とするゲイン調整部と、
前記第１乗算器の出力に前記ｄ軸ゲインおよび前記速度指令の符号極性を乗算した値と、前記第２乗算器の出力に前記ｑ軸ゲインを乗算した値と、を加算し前記振動抑制信号として出力する加算器と、
を備えたことを特徴とするインバータ。
【発明の詳細な説明】
【技術分野】
【０００１】
本発明は、  ＰＭモータの位置センサレス制御に係り、特に、電流引込法の振動抑制方法に関する。
【背景技術】
【０００２】
インバータによる電動機の駆動システムにおいて、永久磁石形同期電動機（ＰＭモータ）の磁極位置検出器を使用しないで運転する位置センサレス制御が実用化されている。
【０００３】
この位置センサレス制御により速度やトルクを制御する方法として、多くの種類の位置センサレス制御方式が開発されている。その中の一手法として、ある程度の大きさの一定振幅の電流を流し、その周波数を徐々に変化させて同期引き込み状態を維持させながら強制的に回転子を電流に追従させて始動する方式が利用されている。ここではこれを電流引込法と呼ぶ。図５に、電流引込法を用いた制御ブロックを示す。電流引込法の先行技術文献としては、例えば、非特許文献１が開示されている。
【０００４】
［電流引込法］
図５に示すように、積分器１において、速度指令を積分して位相に変換する。三相／二相変換器２において、この位相を基準にインバータの電流検出値を回転座標上のｄ軸，ｑ軸電流検出値に変換する。電流制御部ＡＣＲは、ｄ軸電流指令として引込電流指令を、ｑ軸電流指令として零を入力する。電流制御部ＡＣＲは、ｄ軸，ｑ軸電流指令とｄ軸，ｑ軸電流検出値の偏差がなくなるようにｄ軸，ｑ軸電圧指令を出力する。
【０００５】
二相／三相変換器３は、ｄ軸，ｑ軸電圧指令を積分器１が出力する位相に基づいて二相／三相変換し、Ｕ相，Ｖ相，Ｗ相電圧指令を生成する。ＰＷＭ制御器ＰＷＭは、三角波キャリア信号とＵ相，Ｖ相，Ｗ相電圧指令との比較により、インバータ内における各スイッチング素子のゲート信号（オン／オフ指令信号）を生成する。そして、インバータから電圧を出力して電動機（図示省略）に印加する構成となっている。
【０００６】
これにより、引込電流指令通りの電流が電動機に流れ、引込電流を流している位相に回転子の磁極が吸引される。引込電流位相は速度指令を積分した位相に流れていくので、速度指令に応じて電流位相が回転し、この電流位相に磁極を吸引させたままモータを回転させる。
【０００７】
しかし、電流引込法には、以下の（１），（２）のような問題がある。
【０００８】
（１）電流振幅を一定に保持しても、磁極軸と電流軸の位相差のｓｉｎ関数としてトルクが変動するため、軸ねじれによりトルクが変化する弾性軸に似た振る舞いをする。そのため、負荷トルク変動などの過渡現象が発生すると、慣性モーメントと共振するような速度振動（軸ねじれ振動）が生じる。
【０００９】
この軸ねじれ振動が発生してしまうと、ダンパ巻線が無いＰＭモータでは制動効果が無く振動が継続する問題がある。この軸ねじれ振動は負荷に出力するトルク品質を低下させ、カップリングなど機械系に悪影響を与えるおそれがある。
【００１０】
（２）上記の軸ねじれ振動が生じると負荷トルクに対してさらに軸ねじれ分のトルク脈動が加算されるため、電流振幅を大きく設定しておかないと最大トルクを超えて脱調が発生するおそれがある。これを防止するためには通常のベクトル制御で必要な電流よりも、１．５〜２倍の大きな電流を流さねばならない。その結果、大きな容量のインバータが必要になる。
【００１１】
以上のような課題を解決する方法として、図６に示すような軸ねじれ振動が発生した際に、この軸ねじれ振動を抑制する特許文献１が開示されている。
【００１２】
［特許文献１］
図６に特許文献１の制御ブロック図を示す。図５と同様の箇所については同一符号を付し、その説明は省略する。特許文献１（図６）は、図５に振動抑制部１４を追加したものである。
【００１３】
電流制御部ＡＣＲが出力するｄ軸電圧指令をバンドパスフィルタＢＰＦ（Ｂａｎｄ−ｐａｓｓ  ｆｉｌｔｅｒ）に掛け、軸振動に起因するｄ軸電圧指令の振動成分のみ抽出する。乗算器４は、バンドパスフィルタＢＰＦで抽出した振動成分にゲインＧを乗算する。関数部１０は速度指令の符号（極性）を算出する。
【００１４】
乗算器１１は乗算器４の出力に速度指令の符号極性を乗算し、速度指令を補正するための振動抑制信号として出力する。減算器１３は、速度指令から振動抑制信号を減算する。これにより、複雑な処理を追加しなくても非常に簡単な方法で軸振動を抑制することが可能となる。
【先行技術文献】
【特許文献】
【００１５】
【特許文献１】特開２０１７−８５７２０号公報
【非特許文献】
【００１６】
【非特許文献１】五十嵐  寿勝、劉  江桁「電流引き込み方式によるＰＭモータの磁極位置合わせにおける引き込み電流値の一検討」、平成２９年電気学会全国大会、４−１５３
【発明の概要】
【発明が解決しようとする課題】
【００１７】
しかし、特許文献１は、零速度や極低速時に軸振動が生じた場合は、振動を抑制する効果が得られないことがある。特許文献１では、速度指令の極性を用いて振動抑制部１４の制御を行っている。一方、零速度や極低速時では、速度指令の極性と実際の電動機の回転速度の極性（つまり回転方向）が一致しないケースが多い。このように両者の極性が一致しない場合では振動抑制部１４の制御を適切に行うことができなくなるため、振動抑制ができなくなる。
【００１８】
さらにこの場合、電流引き込み時の最初に磁極を引き込む際は周波数ゼロの直流電流を流すので、磁極を引き込んだ際に振動が生じると、電動機の加速開始時に始動トルク分と振動分のトルクが必要になるため、脱調するおそれがある。
【００１９】
以上示したようなことから、インバータにおいて、零速度時や極低速時における電動機の回転速度の振動を抑制し、モータの脱調を抑制することが課題となる。
【課題を解決するための手段】
【００２０】
本発明は、前記従来の問題に鑑み、案出されたもので、その一態様は、永久磁石形同期電動機を駆動するインバータにおいて、速度指令から振動抑制信号を減算した値を積分した位相に基づいて電流検出値を三相／二相変換し、ｄ軸，ｑ軸電流検出値を出力する三相／二相変換器と、引込電流指令であるｄ軸電流指令とｑ軸電流指令と、前記ｄ軸，ｑ軸電流検出値との偏差に基づいて、前記ｄ軸，ｑ軸電流検出値が前記ｄ軸，ｑ軸電流指令に追従するように、ｄ軸，ｑ軸電圧指令を生成する電流制御部と、前記ｄ軸，ｑ軸電圧指令を前記位相に基づいて三相の電圧指令に変換する二相／三相変換器と、前記三相の電圧指令に基づいて、インバータ内の各スイッチング素子のゲート信号を生成するＰＷＭ制御部と、前記ｄ軸電圧指令の軸振動に起因する振動成分にゲインＧｄを乗算する第１乗算器と、前記ｑ軸電圧指令の軸振動に起因する振動成分に一次遅れを生じさせた値にゲインＧｑを乗算する第２乗算器と、前記速度指令の絶対値が閾値以上の場合にｄ軸ゲインを１，ｑ軸ゲインを０とし、前記速度指令の絶対値が閾値よりも小さい場合にｄ軸ゲインを０，ｑ軸ゲインを１とするゲイン調整部と、前記第１乗算器の出力に前記ｄ軸ゲインおよび前記速度指令の符号極性を乗算した値と、前記第２乗算器の出力に前記ｑ軸ゲインを乗算した値と、を加算し前記振動抑制信号として出力する加算器と、を備えたことを特徴とする。
【００２１】
また、他の態様として、永久磁石形同期電動機を駆動するインバータにおいて、速度指令から振動抑制信号を減算した値を積分した位相に基づいて電流検出値を三相／二相変換し、ｄ軸，ｑ軸電流検出値を出力する三相／二相変換器と、引込電流指令であるｄ軸電流指令とｑ軸電流指令と、前記ｄ軸，ｑ軸電流検出値との偏差に基づいて、前記ｄ軸，ｑ軸電流検出値が前記ｄ軸，ｑ軸電流指令に追従するように、ｄ軸，ｑ軸電圧指令を生成する電流制御部と、前記ｄ軸，ｑ軸電圧指令を前記位相に基づいて三相の電圧指令に変換する二相／三相変換器と、前記三相の電圧指令に基づいて、インバータ内の各スイッチング素子のゲート信号を生成するＰＷＭ制御部と、前記ｑ軸電圧指令の軸振動に起因する振動成分に一次遅れを生じさせた値にゲインＧｑを乗算して前記振動抑制信号を算出する振動抑制部と、を備えたことを特徴とする。
【００２２】
また、他の態様として、永久磁石形同期電動機を駆動するインバータにおいて、速度指令から振動抑制信号を減算した値を積分した位相に基づいて電流検出値を三相／二相変換し、ｄ軸，ｑ軸電流検出値を出力する三相／二相変換器と、引込電流指令であるｄ軸電流指令とｑ軸電流指令と、前記ｄ軸，ｑ軸電流検出値との偏差に基づいて、前記ｄ軸，ｑ軸電流検出値が前記ｄ軸，ｑ軸電流指令に追従するように、ｄ軸，ｑ軸電圧指令を生成する電流制御部と、前記ｄ軸，ｑ軸電圧指令を前記位相に基づいて三相の電圧指令に変換する二相／三相変換器と、前記三相の電圧指令に基づいて、インバータ内の各スイッチング素子のゲート信号を生成するＰＷＭ制御部と、前記ｄ軸電圧指令の軸振動に起因する振動成分にゲインＧｄを乗算する第１乗算器と、前記ｑ軸電圧指令の軸振動に起因する振動成分に一次遅れを生じさせた値にゲインＧｑを乗算する第２乗算器と、前記速度指令の絶対値が第１閾値以下の場合に前記ｑ軸ゲインを１、前記ｄ軸ゲインを０とし、前記速度指令の絶対値が第１閾値よりも大きく第２閾値よりも小さい場合に、前記速度指令の絶対値の増加に応じて、前記ｑ軸ゲインを１から０に徐々に減少させ、前記ｄ軸ゲインを０から１に徐々に増加させ、前記速度指令の絶対値が第２閾値以上の場合に前記ｄ軸ゲインを１，前記ｑ軸ゲインを０とするゲイン調整部と、前記第１乗算器の出力に前記ｄ軸ゲインおよび前記速度指令の符号極性を乗算した値と、前記第２乗算器の出力に前記ｑ軸ゲインを乗算した値と、を加算し前記振動抑制信号として出力する加算器と、を備えたことを特徴とする。
【発明の効果】
【００２３】
本発明によれば、インバータにおいて、零速度時や極低速時における電動機の回転速度の振動を抑制し、モータの脱調を抑制することが可能となる。
【図面の簡単な説明】
【００２４】
【図１】実施形態におけるインバータの制御構成を示すブロック図。
【図２】実施形態におけるｄ軸ゲイン，ｑ軸ゲインを示す図。
【図３】特許文献１のシミュレーション結果を示すタイムチャート。
【図４】実施形態のシミュレーション結果を示すタイムチャート。
【図５】従来の電流引込法を用いたインバータの制御構成を示すブロック図。
【図６】特許文献１のインバータの制御構成を示すブロック図。
【発明を実施するための形態】
【００２５】
以下、本願発明におけるインバータの実施形態１，２を図１〜図４に基づいて詳述する。
【００２６】
［実施形態１］
図１に本実施形態１におけるインバータの制御ブロック図を示す。積分器１は、速度指令から後述する振動抑制信号を減算した値を積分して位相に変換する。三相／二相変換器２は、この位相を基準にインバータの電流検出値を回転座標に変換したｄ軸，ｑ軸電流検出値を出力する。
【００２７】
電流制御部ＡＣＲは、ｄ軸電流指令として引込電流指令を、ｑ軸電流指令として零を入力する。電流制御部ＡＣＲは、ｄ軸，ｑ軸電流指令とｄ軸，ｑ軸電流検出値との偏差に基づいて、ｄ軸，ｑ軸電流検出値がｄ軸，ｑ軸電流指令に追従するようにｄ軸，ｑ軸電圧指令を出力する。
【００２８】
二相／三相変換器３は、ｄ軸，ｑ軸電圧指令を積分器１が出力する位相に基づいて二相／三相変換を行い、Ｕ相，Ｖ相，Ｗ相電圧指令を生成する。ＰＷＭ制御部ＰＷＭは、Ｕ相，Ｖ相，Ｗ相電圧指令と三角波キャリア信号との比較により、インバータ内における各スイッチング素子のゲート信号（オン／オフ指令信号）を生成することで、インバータから電圧を出力して電動機（図示省略）に印加する。
【００２９】
電流制御部ＡＣＲが出力するｄ軸電圧指令を第１バンドパスフィルタＢＰＦ１（Ｂａｎｄ−ｐａｓｓ  ｆｉｌｔｅｒ）に掛け、軸振動に起因するｄ軸電圧指令の振動成分のみ抽出する。第１乗算器４は、第１バンドパスフィルタＢＰＦ１で抽出した振動成分にゲインＧｄを乗算する。
【００３０】
また、電流制御部ＡＣＲが出力するｑ軸電圧指令を第２バンドパスフィルタＢＰＦ２に掛け、軸振動に起因するｑ軸電圧指令の振動成分のみ抽出する。さらに、その振動成分をローパスフィルタＬＰＦ（Ｌｏｗ−ｐａｓｓ  ｆｉｌｔｅｒ）に掛けて一次遅れを生じさせる。第２乗算器５は、ローパスフィルタＬＰＦで抽出した振動成分にゲインＧｑを乗算する。
【００３１】
ゲイン調節部６は、速度指令に応じてｄ軸ゲインを調節する。速度指令の絶対値が閾値以上の場合にｄ軸ゲインを１とし、速度指令の絶対値が閾値よりも小さい場合にｄ軸ゲインを０とする。乗算器７は、乗算器４の出力にｄ軸ゲインを乗算する。減算器８は、１からｄ軸ゲインを減算してｑ軸ゲインを算出する。すなわち、速度指令の絶対値が閾値以上の場合にｑ軸ゲインを０とし、速度指令の絶対値が閾値よりも小さい場合にｑ軸ゲインを１とする。乗算器９は、乗算器５の出力にｑ軸ゲインを乗算する。
【００３２】
関数部１０は、速度指令の符号極性を算出する。乗算器１１は、乗算器７の出力に関数部１０から出力された速度指令の符号極性を乗算する。加算器１２は、乗算器１１の出力に乗算器９の出力を加算し、振動抑制信号として出力する。減算器１３は、速度指令から振動抑制信号を減算し、積分器１に出力する。
【００３３】
ＰＭモータは回転すると回転子の磁石による磁束により速度起電力が発生する。この速度起電力はｑ軸方向に発生するため、速度が変動するとｑ軸電圧に変動が生じる。つまり、軸振動によって発生する電圧成分はｑ軸電圧に重畳される。
【００３４】
そこで、電流制御部ＡＣＲが出力するｑ軸電圧指令をｄ軸電圧指令と同様に第２バンドパスフィルタＢＰＦ２に掛け、軸振動に起因するｑ軸電圧指令の振動成分のみ抽出する。
【００３５】
さらに、その振動成分をローパスフィルタＬＰＦに掛けて一次遅れを生じさせる。なお、第２バンドパスフィルタＢＰＦ２とローパスフィルタＬＰＦを分けて記載したが、一括にしてもよい。ローパスフィルタＬＰＦを追加するのはｑ軸電圧の振動と速度の振動がほぼ同相で生じるため、位相遅れ（理想はπ／２）を生じさせた方が、振動抑制効果が得られるためである。
【００３６】
ローパスフィルタＬＰＦに掛けたｑ軸電圧指令の振動成分にゲインＧｑをかけ、ｑ軸電圧指令に基づく振動抑制信号を求める。ここで求めたｑ軸電圧指令に基づく振動抑制信号は零速度から極低速域にまでしか適用しない。特許文献１におけるｄ軸電圧指令に基づく振動抑制信号が有効になる速度になったら、ｄ軸電圧指令に基づく振動抑制信号に切り替えるようにする。
【００３７】
この切り替えには、以下に説明するｄ軸ゲインとｑ軸ゲインを用いる。速度指令の絶対値が閾値以上の場合にｄ軸ゲインを１，ｑ軸ゲインを０とし、速度指令の絶対値が閾値よりも小さい場合にｄ軸ゲインを０，ｑ軸ゲインを１とする。ｄ軸電圧指令に基づく振動抑制信号にｄ軸ゲインおよび速度指令の符号極性を乗算した値と、ｑ軸電圧指令に基づく振動抑制信号にｑ軸ゲインを乗算した値と、を加算し振動抑制信号として出力すれば良い。
【００３８】
以上示したように、本実施形態１によれば、零速度や極低速時における電動機の回転速度の振動を抑制することができる。これにより、電動機の速度変動や脱調を低減できるため、電動機駆動システムの信頼性を向上できる。
【００３９】
［実施形態２］
本実施形態２では、ｄ軸，ｑ軸電圧指令でそれぞれ求めた振動抑制信号を図２に示すようなｄ軸ゲイン，ｑ軸ゲインをそれぞれ掛けたものを加算し、徐々にｑ軸電圧指令に基づく振動抑制信号からｄ軸電圧指令に基づく振動抑制信号に切り換えていくようにしている（図２の速度指令２→３％のゲインを参照）。こうすることでゲイン切替時の振動抑制信号が急変しないようにしている。
【００４０】
図２（ａ）に示すように、ｄ軸ゲインは速度指令の絶対値が第１閾値２％以下の時は零、速度指令の絶対値が第１閾値２％よりも大きい時は速度指令の絶対値が第２閾値３％で１となるような変化率で速度指令の絶対値の増加に応じてｄ軸ゲインを増加させる。速度指令の絶対値が第２閾値３％以上の時、ｄ軸ゲインは１となる。
【００４１】
図２（ｂ）に示すように、ｑ軸ゲインは速度指令の絶対値が第１閾値２％以下の時は１，速度指令の絶対値が第１閾値２％よりも大きい時は速度指令の絶対値が第２閾値３％で零になるような変化率で速度指令の絶対値の増加に応じてｑ軸ゲインを減少させる。速度指令の絶対値が第２閾値３％以上の時はｑ軸ゲインは０となる。
【００４２】
図３、図４に、特許文献１と本実施形態２において同条件で実施したシミュレーション結果を示す。運転開始時においてｄ軸電流を流す電流位相（制御位相）と実際のＰＭモータの磁極位置を４／５πずらした状態からスタートさせている。磁極を引き込むための零速度指令の時間は０．５ｓｅｃとし、そこから０．１ｐｕまで速度指令を０．１ｓｅｃで変化させている。
【００４３】
図３に示す特許文献１のシミュレーション結果では、運転開始時においてｄ軸電流を流す電流位相と磁極位置の位置がずれている。そのため、磁極が電流位相に吸引されるが、その際に軸振動が生じて零速度指令の間は振動が継続してしまい、モータ速度が正負に振れている（０〜０．６ｓ期間）。速度指令が上昇してくると、振動抑制の効果が得られはじめて振動が収束している。
【００４４】
一方、図４に示す本実施形態２の制御方法を用いたシミュレーション結果では、運転開始時は磁極が電流位相に吸引され、振動が生じ始めるが、運転開始から０．３ｓｅｃ後にはほぼ振動は収まっている。
【００４５】
また、０．５〜０．６ｓでｑ軸電圧指令を使用した振動抑制信号からｄ軸電圧指令を使用した振動抑制信号に切り替えているが、切替時に速度や電流に急変等生じさせることなく、切り替わっている。
【００４６】
以上示したように、本実施形態２によれば、実施形態１と同様の作用効果を奏する。また、徐々に、ｑ軸電圧指令を使用した振動抑制信号からｄ軸電圧指令を使用した振動抑制信号に切り替えているため、切替時に速度や電流に急変等が生じることを抑制することができる。
【００４７】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００４８】
なお、図１に示すゲイン調節部６において、（ａ）ｄ軸側を常時０、（ｂ）ｑ軸側を常時１にすることで、ｄ軸電圧指令への切り替えを行わない構成をとってもよい。この場合、乗算器５の出力が振動抑制信号となる。
【符号の説明】
【００４９】
１…積分器
２…三相／二相変換器
ＡＣＲ…電流制御部
３…二相／三相変換器
ＰＷＭ…ＰＷＭ制御部
ＢＰＦ１，ＢＰＦ２…第１，第２バンドパスフィルタ
４…第１乗算器
ＬＰＦ…ローパスフィルタ
５…第２乗算器
６…ゲイン調整部
７…乗算器
８…減算器
９…乗算器
１０…関数部
１１…乗算器
１２…加算器
１３…減算器
１４…振動抑制部
【図１】
2019205238.tif 000003
【図２】
2019205238.tif 000004
【図３】
2019205238.tif 000005
【図４】
2019205238.tif 000006
【図５】
2019205238.tif 000007
【図６】
2019205238.tif 000008